(57)【要約】本発明は、貴重な物質の分野に関するものであり、特に指輪の金細工、宝飾品の分野に関するものである。本発明はまた宝石(Bijoux)に関するものでもあることに留意をいただきたい。特に本発明で関心をよせるのは、指輪とその寸法の問題である。【選択図】図C
2020535930.tif 000002
【特許請求の範囲】
【請求項１】
指輪の調節システム(1)で、少なくとも一つ以上のほぼ円形で、環状の指輪構造(2)、指輪の内周の長さに最も望ましい形状の溝またはハウジング(3)、円形の模様（サーキュラークラウン）状の内部のキャブレーティング装置(4)からなるもので、前述の装置はほぼ単一の部品で実現することができ、柔軟性があり、前述の環構造の溝またはハウジング(3)に接続できるように構成される点に特徴があり、また前述の装置(4)は前述の環構造(2)と同心状にあり、環構造(2)内に完全に収容され、使用者の指上で指輪の正しいバランスと位置を保つことができ、前述の装置の内部に異なる角度の湾曲を有するもので、その装置の厚みを調節することで環構造のサイズを調節することができるものであり、一つ以上の装置がお互いに交換可能なものである、指輪の調節システム。
【請求項２】
請求項1に記載の指輪の調節システム(1)で、指輪の構造(2)の溝(3)が指輪構造(2)の内周全体に走っているものである、指輪の調節システム。
【請求項３】
請求項1又は2に記載の指輪の調節システム(1)で、装置(4)がほぼ閉じた円形の模様（サーキュラークラウン）で、前述のキャリブレーティング装置(4)が使用者の指を完全に包み込むものである、指輪の調節システム。
【請求項４】
請求項1に記載の指輪の調節システム(1)で、前述の装置(4)が少なくとも一つ以上のカービング(5)を有し、前述の装置に柔軟性を与えるものである、指輪の調節システム。
【請求項５】
請求項1から4のいずれか１に記載の指輪の調節システム(1)で、前述の装置が、前述のキャリブレーティング装置(4)の一つまたは複数の端部(7)に少なくとも一つの穴(8)を有し、その穴が、フック（6、60）などの器具を挿入するのに適しおり、またシースまたはキャリブレーター装置(4)を環構造のハウジング(3)から取り出すのに適しているものである、指輪の調節システム。
【請求項６】
請求項1から5のいずれか１に記載の指輪の調節システム(1)で、キャリブレーターが金、プラチナ、銀、その他の金属もしくは非金属で、本目的に適したもので形成されるものである、指輪の調節システム。
【請求項７】
請求項1から6のいずれか１に記載の指輪の調節システム(1)で、前述の環構造(2)のハウジング(3)内のシースまたはキャリブレーティング装置(4)は、簡単に取り替えることができ、常に指輪に完璧にフィットするものである、指輪の調節システム。
【請求項８】
請求項5に記載の指輪の調節システム(1)で、前述のシースまたはキャリブレーティング装置(4)が弾性力により前述のハウジング(3)内に留まるものである、指輪の調節システム。
【請求項９】
請求項1から8のいずれか１に記載の指輪の調節システム(1)で、4つ以上のサイズに変化させることができるシステムである、指輪の調節システム。
【請求項１０】
請求項1から9のいずれか１に記載の指輪の調節システム(1)で、本目的に適したタイプの先端と直径を有する一切の器具が、一つ以上の前述の穴(8)に挿入し、前述の環構造(2)から前述のキャリブレーティング装置(4)を取り除くのに適しているものである、指輪の調節システム。
【発明の詳細な説明】
【技術分野】
【０００１】
本発明は、貴重な物質の分野に関するものであり、特に指輪の金細工、宝飾品の分野に関するものである。本発明はまた宝石(Bijoux)に関するものでもあることに留意をいただきたい。
【０００２】
ここで本発明の対象となる指輪は、高価なものとして知られており、そのため選ぶことが非常に困難であり、贈り物にしても、長期間身に着けるにしても、他の宝飾品（例、イヤリング、ネックレス、ブレスレット）と比べて、高価であってもそうでなくても、指輪には特定のサイズがあり、使用者によって非常に多岐にわたるだけでなく、指輪それ自体が大きく異なる。なぜなら、寸法や、円周や指のサイズだけでなく、着用する指によって変わり、さらに時間の経過とともに変化するためである。例えば非常に多岐にわたる理由で使用者の体重が増加または減少する場合、指の直径はあっという間に変わってしまうため、指輪のサイズにすぐに影響を及ぼしてしまう。さらに重要な要因としては季節の変化があり、事実、指は熱によって膨らむ傾向があるなど、時間の経過に伴う影響は様々なものがある。多くの場合、指輪は最も象徴的な宝石とみなされる（婚約、結婚、象徴的な制約、特別な思い出、大学の学位、聖体拝領、誕生日など）ため、数ある宝飾品の中でも最も価値が置かれているものと考えられていることから、使用にふさわしいと考える限り着用できるということは本質的な重要性を有するものである。
【背景技術】
【０００３】
調整が可能な指輪は閉じた円のような形状にはなっておらず、正方形であったり幾何学的なものであることが多く、両側が重なっているため調節が可能な構造になっているが、素材が素手で扱うには難しいものであったり、何度も使っているうちに使えなくなる傾向がある。円形の価値のある指輪は、多かれ少なかれ薄いものであったり、幅が広かったりするため、常に上記のような問題が伴っている。
【０００４】
結果として、様々な理由で指輪のサイズの変更を求めることがよく知られているが、残念なことに、指輪の外観を損なわず、歪めることなしに実現できるか、という点に疑問があり、常に可能なものではない。指輪のサイズを変えることは、多かれ少なかれ宝石を扱う業者にとって大きな問題であった。サイズを広げたり、小さくしたりすることは、伝統的には指の下に当たる部分で切断して、金属を付け足したり、取り除いたりすることを意味している。
【０００５】
表面全体に埋め込まれた指輪の場合、サイズ一つ分だけでも広げたり縮めたりすることは非常に困難で、高額になることがある。そこで最も一般的なサイズを用意する以外に方法はなく、新しい指輪に交換できるかもしれないが、長年使用する指輪は特別な石や、特別な技術が施されていることが多く、サイズの変更などは常に可能とは言い難い。
【０００６】
これまでこの問題を克服するために、いくつかの解決策が提案されてきており、そのうちのいくつかは有効である。2011年に提案された解決策は出願人本人によるものであり、以下に説明する通り本発明における最も近い先行技術であると考える。故に本発明は以下の説明からも明らかなように、その改良を目的にしたものである。従来の技術では長年よく知られてきた方法として、指輪の切断（前述）や、溶接などの目的で適した素材を挟む方法などがあるが、こうした解決方法は不可能である場合が多く、その仕事に必要な技量が不足している場合は審美性を損なう可能性があり、さらには宝石自体にもリスクが及ぶ可能性がある。この場合コストが高額になるだけでなく、理想の結果が保証されることもない。
【０００７】
この問題解決のための既存の技術の別の例としては、マルチサイズリングというものがある。小さなバネを見えない部分で使用しており、指のサイズにある程度は対応できるものである。この解決方法は1サイズは可能だが、最大でも2サイズが限界である。一つの指から違う指に付け替える程度ならこれでも十分であろうが、この分野の専門家であれば分かるように、時間の経過とともに指周りは大きな変化を受け、体重の変化や加齢による関節の変化により通常は2から4サイズが一般的であると考えられていることから、この範囲は比較的小さい範囲でしかない。
【０００８】
さらにこの提案した解決方法は、バネが時間の経過とともに緩んだり破損した場合に指輪が指から外れて落下することがあるため、完全に安全なものとは言えない。スチール製のバネを構造の中で実現することはかなり高価であり、プラスマイナス2サイズの変更の場合、完全に作り直さない限り変更することはできない。これは明らかに大きな経済的な支出であり、調節が可能である限りこのタイプの指輪を頼らざるをえない。
【０００９】
繰り返しになるが、この解決策は使用者にとって面倒になるものであり、実際バネが指を締め付けて使用者に不快感を与えることがある。この解決策は適切に調節およびカスタマイズする必要があり、さらに長い目で見ればバネが摩耗するため使用できなくなる。
【００１０】
別の解決方法としてはバネを使用した指輪を含む様々な指輪（やブレスレット）を提供する宝石商から提案されたものがある。指輪の要素は、ここでは石が望ましいが、互いに接続されおり、
個々の弾性の要素がサーキュラークラウンの小さな部分からなる指輪を形成しており、立体で見ると、円筒状の部分が外面などを形成していることがわかる。
【００１１】
この解決方法は非常に高価で手間がかかる方法であり、通常表面は高価な物で覆われている。しかも残念なことに、指輪全体が指を締め付けることから、弾性を緩和することが極めて重要であり、指がむくんでいる場合に弾性により指を締め付けると不快感を与えることになる。繰り返になるが、さらに不利な点として、限度を超えて円周を広げた場合、様々な要素が互いに離れてしまい、特に価値の高い宝石では審美性という観点から好ましい結果にはならない。
【００１２】
さらに、本解決方法は円周全体が石で形成されている指輪のみに適用できるものであり、そうでない場合は様々なものが見えてしまい、極めて不快な結果になる。
【００１３】
最後に、極めて大きな欠点として、弾性メカニズムが摩耗すると指輪を使用できなくなってしまう。
【００１４】
前述のように、最も一般的な指輪のサイズの調整方法（例、宝石業者の加工）は、サイズを変更する以上の問題を引き起こすことになる。指輪の形状を変えることはさらに大きなリスクがあり、安全性へのリスクも生じる。指輪の湾曲を変えることは、ダイヤモンドなどの価値の高い宝石のシートを変えることになる。この場合ブランドなどの信頼性を損なうことになる。いずれの場合も、特に貴重な石の場合には、サイズを伸ばすのも縮めるのも最大2サイズにするほうがよい。
【００１５】
繰り返しになるが、先行技術としてよく知られているKR 2009 0020438は、弾性の要素により形作られたサーキュラークラウンの要素があり、これを収容する目的で作成された穴の上部に、円形の部分を有する指輪から構成される環構造について述べている。このクラウンの要素の中央にはネジが付いており、このネジを締めたり緩めたりすることで、指輪の内側のサイズを変えることができる。これはこうした解決方法がいかに指輪にとって良いものではないかということの証拠になっている。ネジを使うということが指輪の審美性にとって良いものではないし、可能であったとしても数サイズの変更にとどまるにすぎない。さらに、指輪の外側と内側の構造に細い溝を残すように調節する場合、指輪のバランスが崩れてしまい、真円度や同心度といったブランドの信頼性の要素が失われ、使用者が快適に使用できなくなる他、ほこりが堆積する可能性があり、快適性を極めて損なうことになり、損傷を引き起こすことにもなる。さらに、将来のサイズ変更を見越して購入することになり、高価なものであることから購入時ですら不快なものとなり、これは看過できるものではない。さらに、ネジ機構は時間とともに摩耗で緩み、使用者に不快感を与え、使用を控えるようになり、結果としてメンテナンスの費用として相当高価な経済的な負担を強いることにもなりかねない。
【００１６】
同じ問題はGB 22 98 564の中にも見ることができる。ここでは内部の下部にハウジングまたは空間を有する環構造であり、上部が開いた「C」の環構造が内部に挿入される仕組みになっており、指の直径に応じて指輪の下部の側壁を絞って固定するものがある。この出願は韓国の出願で言及した短所を有しているだけでなく、Cの形の構造は周囲のオブジェクトと絡んでしまうことにつながる。指輪のバランスは欠けた状態であり、さらに指輪の内部を縮めたり広げたりすることは、宝石店の力を常に必要とするため、結局不便である上に費用もかかり、さらに指輪の摩耗にもつながる。
【００１７】
最後にJP H05 65214は、外側の環構造を説明したものである。その内側の下部に空間が設けられて、ほぼ扇状の形状をした、縮めるための機構を収容できるようになっている。購入時に指のサイズに合わせて指輪を固定するもののようであり、ここでもサイズ変更には宝石店の関与が必要があると思われるが、指輪は偏心してしまい、バランスを欠き、また調節できるサイズも限られている。
【００１８】
上記の3つの事例では、縮めるための機構を使用すると使用者の指に対して指輪はバランスを欠き、指にフィットしなくなる。これは使用者にとって終わらない不快感となり、バランスを欠いた指輪は指の上で簡単に回転してしまい、指の中心にとどまらない。これは前述の非常に大きな欠点であるとともに、まったく不快で不愉快なものでしかない。
【００１９】
最後に、言及しておかなくてはならないこととして、見た目というものが貴重なオブジェクトに極めて重要な関連性を有しており、販売に大きな影響を与え、オブジェクトの技術的な制作にも無視できないものである。上記のような場合、使用者は「最良」ではないものを購入することになり、さらにかなりの不便さと欠点が伴うことになり、販売にとって極めて大きな影響になることは明白である。
【００２０】
出願人が提案した解決方法ですでにイタリアの特許を付与されているものは、2008年に出願したものであるが、ここでの技術的な解決方法は、層状の核をもったバネを挿入するのに適したシースまたは穴を持つ指輪を作成する点にある。シースは「鍵」と呼ばれる特殊な器具により内部の空間から取り出すことができる。利点としては、様々なサイズを作成することができるだけでなく、前述の技術とはことなり、最大4サイズまで指輪のサイズを調節することが可能である点にある。これは一人の人間の平均的な生活に必要な指の直径の変化に十分対応できるものである。さらに、貴重な石がついていようがなかろうが、すべてのタイプの指輪に対応できるという、経済的な面でも利点がある。繰り返しになるが、この解決方法は様々なサイズの指輪を揃える必要がなくなり、宝石店にとっては大きな節約が可能になる。さらなる利点として、時間の経過とともにバネが破損または劣化した場合に、指輪を交換することなくバネ自体を交換することが可能であり、使用者の経済的な負担を軽減できる。さらにサイズの点で汎用性があるため、広すぎたり狭すぎたりすることなく、常に完璧にフィットする指輪をつけることができる。さらに使用者が手を加える部分はバネの部分であり、指輪本体ではないので、元の指輪は時間が経っても問題はない。こうした利点によりこの解決方法は、前述の既存の技術に比べて極めて利点の多い解決方法であるが、バネが二つ以上のパーツから構成されることや、特別な空間に面する内部の歯や、二つの歯の間に収容する層のコアに面する内側の部分に短所が存在する。このバネは複雑であり、高価でもあり、上記の利点をすべて実現できたとしても、バネを含む環構造のすべての重さを考えるとかなり重くなることから、使用者にとって明らかに不快なものとなりうるため、このバネ構造の複雑さは大きな短所である。
【００２１】
さらに、このバネは通常金属やスチールなどの柔軟な素材で作られていることから、時間の経過に伴い、長期間の使用を前提にした設計ではあるが、金や貴金属で作られていない部分が酸化や腐食により寿命が短くなり、磨耗の為にそのパーツを購入せざるを得なくなる。さらに、敏感な使用者が長く使用することにより金属アレルギーを引き起こす可能性もある。こうした指輪が、特にその価値や情緒的な価値（例、結婚指輪）を考えると、常に装着されることが考えられ、こうした問題は強く関連することがわかる。
【００２２】
バネは指輪の審美性に一定の影響を与えることは確実で、使用者にとっては歓迎したくないものになる可能性がある。もちろん、前述の装置に比べてこの場合は審美性に与える影響はかなり軽減されていることに留意をいただきたい。
【先行技術文献】
【特許文献】
【００２３】
【特許文献１】KR 2009 0020438
【特許文献２】GB 22 98 564
【特許文献３】JP H05 65214
【発明の概要】
【発明が解決しようとする課題】
【００２４】
繰り返しになるが、本解決方法は指輪の元の形を維持でき、指輪の同心性を完璧に保つことのできる非常に優れた利点を有している。
【００２５】
従って本発明の目的は、出願人による従前の特許のもつこうしたすべての利点を維持しつつ、上記の問題点を解消することにある。
【００２６】
特に、本発明は前述の先行技術がもつ問題移転をも解決することを目的にしている。
【００２７】
従って、本発明の目的は、4、5サイズまで対応可能な指輪のサイズの調整のための解決方法を示すことにある。
【００２８】
また、指に完璧に座らせることができる指輪の調節システムについて説明することも、当該目的に含む。
【００２９】
さらに、例えば元の指輪の形のバランスを取り、指輪を正しい位置に留める指輪の調節システムについて説明することも、当該目的に含む。
【００３０】
また、低刺激性の調節装置を実現することも当該目的に含む。
【００３１】
さらに、生産・販売コストを抑えた指輪の調節システムについて説明することも、当該目的に含む。
【００３２】
繰り返しになるが、軽量で省スペースの指輪の調節システムについて説明することも、当該目的に含む。
【００３３】
さらに、ほぼすべての閉じた輪の形状のものに利用できる、指輪の調節システムと装置について説明することも、当該目的に含む。
【００３４】
最後に、長期間使用可能なシンプルな指輪の調節システムと装置について説明することも、当該目的に含む。
【００３５】
本発明の目的は、宝石店を必要とせずに、使用者自らが指輪のサイズを変更することができる調節システムと装置について説明することである。
【課題を解決するための手段】
【００３６】
こうした目的は、本発明で説明する画期的な調節装置を使用することで達成できる。必須の構成要素としては、少なくとも一つ以上のほぼ円形の環構造、指輪の円周の長さの大部分を走ることが望ましい溝、ほぼサーキュラークラウン（円形の模様）の形状で、直径がその円の構造の直径とほぼ同じかそれ以下の、内部のキャリブレーション装置、前述の環構造内部のハウジングまたは溝の内部で係合できるように構成された前述の装置、前述の装置の内部に異なる角度の湾曲を有するもので、その装置の厚みを調節することで環構造のサイズを調節することができるものであり、一つ以上の装置がお互いに交換可能なものがある。
【００３７】
さらに望ましい形態としては、装置の柔軟性を高める為に、一つ以上のカービングを含めることができる。
【００３８】
さらに効果の高い方法としては、前述の装置が指を完全に覆い、内部の環構造と完全な同心にあるもので、これにより革新的で効果の高い方法でキャリブレーション装置内に、ひいては環構造内に、指を正しく快適に収めることが可能になる。さらに指輪は完璧に使用者の指にフィットし、安定性とバランスを維持した状態で正しく装着することできる（前述の先行技術がもつ大きな欠点はもはや存在せず、システムは同心状になるため、指輪のバランスはそれぞれの指に対して維持される）。特に大きな利点としては、指の円周が常に環構造の外周やキャリブレーション装置と常に等間隔となる点である。
【００３９】
この装置は少なくとも一つ以上の穴を備えており、フックなどの器具の挿入に適している。これは「鍵」と定義されるように、環構造のハウジングからシースやキャリブレーティング装置を容易に取り出すためのものである。（さらに利点としては、適切なフックが使用できない場合でも適切な先端を有するものであれば十分使用できることである。）この方法は、使用者は簡単に自宅でキャリブレーティング装置を取り替えることができ、時間も費用もかからない。
【００４０】
さらなる利点として、前述のシースまたはキャリブレーティング装置は、金などの低刺激性の素材を使った一つの部品からなり、前述のスロット有することから柔軟で扱いやすい。本シースは先行技術が提案するバネに比べてはるかに簡単に製造でき、酸化や腐食やアレルギーを全く生じさせない利点をもち、さらに構造がシンプルなだけでなく、はるかに軽く、価格も抑えられることから、より広い顧客に提案することができ、最終製品の品質もはるかに軽く、快適に使用できるという利点がある。さらに、本シースが劣化、破損、紛失した場合でも、指輪の一部に過ぎず、大きなコストをかけることなくすぐに買い換えることが可能である。
【００４１】
さらなる利点としては、先行技術の問題の解決方法が明らかであり、すべてのタイプの指輪に適用できる解決策であり、結婚指輪のように滑らかな指輪などでは大きなインパクトがあり、さらにより精巧な、一つ以上の石のついたものや、すべて石で覆われたものなどの分野でもインパクトが大きい。
【００４２】
繰り返しになるが、本発明は先行技術とは異なり、指輪の美観を一切変えることがないため、購入時の快適な特徴を維持することができる。
【００４３】
さらに、内部のキャリブレーティング装置と外部の環構造の間に空間が残されていないことから、前述のように、指輪が絡まったり、何か（プルオーバーやセーターなど）で傷ついたり、埃がたまったりという問題は完全に解消することができる。
さらに、単一のシステムで構成され、2つの環構造のパーツと、オブジェクトから離れているシースから構成されており、シースは前述の通り簡単に交換できることから、指輪を縮めたり広げたりしても、指輪の寿命に悪影響を与えることはない。シースは指を固定することはない為、使用者の指に危険が及ぶことは全くなく、汎用性が高い為、同じものを簡単に取り替えることができ、常に指輪の完璧なフィット感を得ることができる。
【図面の簡単な説明】
【００４４】
本発明の指輪の調節システムに関する上記の目的や利点については、以下の詳細と添付の図面でさらに明らかにする。
【００４５】
【図Ａ】図1 は、出願人本人が所有する特許を頻用した図の抜粋であるが、本発明が新規性および技術的な進歩性を有するものである。
【図Ｂ】図2 は、システムの2つ部分が分かれた形を持つ本発明が解説する、指輪の調整システムの好ましい実施形態である。
【図Ｃ】図 3 も同様に好ましい実施形態であり、キャリブレーティング装置が環構造に収容されているものである。図 4 および 5 は、キャリブレーティング装置を環構造から取り外す段階の2つの図を示したものである。図 6は、システムのキットの一部になりうる、本発明の目的に適したフックの作成の好ましい実施形態の例である。
【発明を実施するための形態】
【００４６】
図1では、図 A、B、C、D、E、Fは一つのグループとなっている。これはここで解説するものではないが、出願人が以前に提案した本発明で参照する特許である。もっとも本発明は革新的で改良した解決方法であり、依然として新規性、進歩性を有するものである。この解決方法の利点と実装の詳細は、既知の技術を参照することですでに述べているため、ここでは簡単な指摘に留める。図1 Aは、本発明で説明したバネが示されている。図1Bではこのバネの様々な構成要素が分解図で明確に示されている。特に図 1 C、 D、 E、 Fのコア12や横断セグメント13全体ではこのバネの様々な構成要素が示されている。凸面が増えたためにコア12上一つ一つ組み立てるには極めて不便であり、指輪のサイズを変更しなければならない横断セグメントの一つ131を含む。さらにそこに挿入されるコアとセグメントをブロックするための端子16も含む。このバネは生産と組み立てが極めて複雑であることが明白であり、さらに構造も貴金属で構成されることから、部品が積み重なることにより重量が大幅に増加してコストも高くなる。そのため、短所や長所を含む技術的に可能な解決策は高コストを負担できる顧客のみが利用できるものであり、コストの問題から小売業者には不利になる。これ以降、参照番号は新しく振り直されることに注意をいただきたい。図 1に関して言及したものについては既存の参照図を明快にするために、変更しないものとする。
【００４７】
図 2では、本発明で説明する革新的な指輪の調整システム1実装の好ましいの実施形態が示されている。ここでは少なくとも一つの環構造2を含み、円形の模様（サーキュラークラウン）のようになることが望ましい。またこの環構造2の内周全体を覆う溝またはハウジング3が形成される。前述のシステムはインターロックなどにより溝3に収容可能なキャリブレーティング装置を含む。
【００４８】
図 1で示すように、前述の装置4はほぼ完全な円形の模様（サーキュラークラウン）の形をしており、環構造からの挿入と取り外しを簡単にするための割れ目が加えられている。また前述の装置4は前述の環構造2に比較して特に利点があり、指の指輪の位置とバランスを適切に保っている。また前述の装置4は指の周囲を完全に、または大部分を囲むものである。
【００４９】
仮に指輪が滑らかであったり、石を使用していない場合は、この装置4を環構造2の外側に形成される溝に収容することが可能である。この溝は指輪の周囲をほぼ網羅して走っていることに留意をいただきたい。何れにせよ都合の良いことに、仮に指輪に石が付いていたとしても、この装置4を溝3に収容したままにすることができ、外部構造に対して同じだけの偏心を維持するのに適した円周を有していることから、指の円周は指輪の円周から常に確実に等間隔になる。
【００５０】
前述の装置4は前述の環構造2の直径とほぼ等しいか、それ以下の直径を有する。また前述のキャリブレーティング装置（のいくつか）はデフォルトの状態で間隔を開けたスロット5で構成され、この装置の柔軟性のために当該キャリブレーティング装置の厚みSで形成される。
【００５１】
この装置は図 3、4、5で示すように、前述のハウジング3に柔軟に収容して、連結と弾性によりその場所に留まらせることに適しており、環構造のハウジング3にスムーズに収容させることが可能になる。一旦挿入されると、前述のハウジング3により形成されたリテーニングレールで弾力性により分岐し、連結されているためその場に留まる。
【００５２】
前述のキャリブレーティング装置と前述の環構造の間に隙間や割れ目がなく、キャリブレーティング装置が完全に環構造に収容されることから、前述の既存の技術の問題点を解決できるという点に留意をいただきたい。
【００５３】
この装置4は特別なフック6を使用してハウジング3から簡単に取り外すことができる (図4、5)。このフックはさまざまな形状が可能であり、例えば図5に示すようにフック60がバイオリンのような美しい形状も可能である。これはベースのフック6よりもはるかに扱いやすい。
【００５４】
前述の装置には少なくとも一つ以上の終端の穴8、もしくはそれと同様のハウジングで、フック6や同様の機能を果たす道具の先端に適したものを含むことに留意をいただきたい。（必要な場合は、適切な種類の器具であればいかなるものでも先端や直径を使用することができるが、フックはこの目的のために設計されたものであるから最も便利な解決策であることには変わりがない。もっとも、必要な場合に別の手段を採用することを妨げるものではなく、本発明の目的を制限するものではない。）
【００５５】
様々なキャリブレーティング装置は様々な角度の湾曲を実現し、チャンバーの外形または厚みを大なり小なり決めるものであり、厚みが増すほど装置/指輪の内径が小さくなる。つまり、これは使用者の指に向かうものであり、指輪のサイズを小さくすることになる。従って、希望する記述的な効果を得るために必要なサイズに応じて、大なり小なり厚みや湾曲のついたキャリブレーティング装置を選ぶことになる。厚みにより、キャリブレーティング装置は大なり小なり溝から突出することになる。
【００５６】
このキャリブレーティング装置の様々な実施形態は、複数のノッチでも、単数のノッチでも、ノッチがなくても本発明の範囲や利点となる機能を損なうことがないことに留意をいただきたい。指輪全体の重量は30%減少するため、コストと快適さにつながる。
【００５７】
本システム1の利点は、本キャリブレーティング装置が極めて簡単に操作できることから、ユーザーにとって非常に便利な点にある。さらに、本キャリブレーティング装置は極めて優れたパフォーマンスを発揮するだけでなく、製造が簡単で、少ない材料で製作するために製造コストが低く、顧客にとっては安く購入でき、以前出願者が申請した装置では不可能であった、市場の大きな部分へのアクセスが可能になる。
【００５８】
繰り返しになるが、本装置は完全に金や他の貴金属で製造が可能であるだけでなく、本目的に適した材料でも可能（本目的に適していれば非金属でも可能）であることから、酸化による腐食を完全に防止でき、アレルギーを持つ人でも完全に安全に使用できることから、従来の解決方法に比べて非常に利点が多い。
【００５９】
従来の技術でいわゆる課題となっていた点については、本システムが、滑らかなものでも、石が散りべられたもでも、いかなる種類の指輪でも実現できることから、審美性の観点からいかなる問題も生じることはなく、環構造の審美性も変えることはない。
【００６０】
さらなる利点として、本キャリブレーティング装置は一つが紛失もしくは劣化した場合に、指輪自体に変更を加えることなく交換できるという利点がある。繰り返しになるが、本装置は完全に安全であり、指輪は使用者の指にしっかりと押し込むことができるが、不快さを感じるほど締め付けることはない。
【００６１】
さらに指と接触する内部のチャンバーは、その形状のおかげで、快適な感触を与える。
【００６２】
最後に、本システムは革新的で利点の多い方法により指輪のサイズや環構造を4つ以上のサイズに変更できるものだが、この4つのサイズ以上に大きく変更することは、本発明の範囲から逸脱することがない範囲でいくらか変化があることを妨げるものではない。
【００６３】
ここで説明する本システムは、外部の指輪の構造と調整装置の同心度を維持することができる利点があり、これは指に指輪を正しくフィットさせ続けるという大きな利点を持つ。これにより誤ったバランスにより不快感をもつという問題を解消し、システムの審美的な好感を味わうと同時に簡単に使用することができる。
【００６４】
従って、ここで説明する指輪を調節する本システムの利点と革新性は、既存の技術の問題点を全て解消し、出願人が以前特許を取得した発明に関する技術的な問題点を見事に解決している。
【００６５】
前述の調節システムの一部の素材の変更や、前述のノッチを含まない装置といったバリエーションは、前述の利点の特徴を超えるものではない。また一つかそれ以上の穴や、形状や、フィンやスロットといった形、サイズや指輪の形、ハウジングや拡張機能の形状などは、添付の特許請求の範囲で定義する本発明の範囲に含まれると解釈するべきである。
【符号の説明】
【００６６】
1：指輪の調整システム
12：コア
13：横断セグメント
131：横断セグメントの一つ
16：端子
2：環構造
3：ハウジング
3：溝
4：装置
5：スロット
6：フック
60：フック
8：穴
【図Ａ】
2020535930.tif 000003
【図Ｂ】
2020535930.tif 000004
【図Ｃ】
2020535930.tif 000005
2020535930.tif 000006
【国際調査報告】
2020535930.tif 000007
2020535930.tif 000008